(57)【要約】【課題】２焦点を自動切替でき、部品点数を抑えて軽量化かつ低コストを実現可能なレンズ駆動装置を提供すること。【解決手段】レンズ駆動装置（１）は、レンズ体を保持し得るレンズホルダ（３）と、レンズホルダ（３）を光軸方向に沿って第１の位置及び第２の位置に移動させる移動機構と、を具備し、レンズホルダ（３）は、磁場により磁化する吸着部（４、３３）を有し、移動機構は、弾性部材により第１の位置に保持されたレンズホルダ（３）を、電磁石（５、６）と吸着部（４、３３）との間に引力を働かせることによって第２の位置に移動させる。【選択図】図５
2013190556.tif 000002
【特許請求の範囲】
【請求項１】
レンズ体を保持し得るレンズホルダと、前記レンズホルダを光軸方向に沿って第１の位置及び第２の位置に移動させる移動機構と、を具備するレンズ駆動装置であって、
前記レンズホルダは、磁場により磁化する吸着部を有し、
前記移動機構は、弾性部材により前記第１の位置に保持された前記レンズホルダを、電磁石と前記吸着部との間に引力を働かせることによって前記第２の位置に移動させることを特徴とするレンズ駆動装置。
【請求項２】
前記電磁石は、ヨーク及びコイルで構成され、前記ヨークは、内側ヨーク、外側ヨーク並びに前記内側ヨーク及び前記外側ヨークを連結する連結ヨークで構成され、前記コイルは、前記内側ヨーク、前記外側ヨーク及び前記連結ヨークで囲まれた空間に収容され、前記ヨークの内壁に沿って巻回されていることを特徴とする請求項１記載のレンズ駆動装置。
【請求項３】
前記レンズホルダは、前記内側ヨークで囲まれた内部に挿通されることを特徴とする請求項１又は請求項２に記載のレンズ駆動装置。
【請求項４】
前記第２の位置において、前記吸着部は前記内側ヨークの下端部と当接し、前記外側ヨークは前記吸着部よりも下方側に延在していることを特徴とする請求項２又は請求項３に記載のレンズ駆動装置。
【請求項５】
前記吸着部は前記レンズホルダに設けた鍔部材からなることを特徴とする請求項１から請求項４のいずれかに記載のレンズ駆動装置。
【請求項６】
前記弾性部材は、前記レンズホルダを光軸方向の上下両端において支持する上側板ばね及び下側板ばねで構成されることを特徴とする請求項１から請求項５のいずれかに記載のレンズ駆動装置。
【請求項７】
レンズ体を保持し得るレンズホルダと、前記レンズホルダを光軸方向に沿って第１の位置及び第２の位置に移動させる移動機構と、を具備するレンズ駆動装置の駆動方法であって、
前記レンズホルダは、磁場により磁化する吸着部を有し、
弾性部材により前記第１の位置に保持された前記レンズホルダを、前記移動機構における電磁石と前記吸着部との間に引力を働かせることによって前記第２の位置に移動させることを特徴とするレンズ駆動装置の駆動方法。
【請求項８】
前記移動機構は、前記レンズホルダを前記第１の位置から前記第２の位置に移動させる場合に前記電磁石に通電する電流量よりも小さな電流量を前記電磁石に通電した状態で、前記レンズホルダを前記第２の位置に保持し続けることを特徴とする請求項７記載のレンズ駆動装置の駆動方法。
【発明の詳細な説明】
【技術分野】
【０００１】
本発明は、レンズ駆動装置に関し、特にデジタルカメラにおける２焦点機能に好適なレンズ駆動装置及びその駆動方法に関する。
【背景技術】
【０００２】
従来、デジタルカメラやカメラ付き携帯電話に搭載させるレンズ駆動装置において、接写撮影と通常撮影とを切り替えるために、レンズを所定の焦点位置に移動して２焦点切り替えを行う２焦点機能が設けられている。２焦点機能を有するレンズ駆動装置として、ユーザによる手動式レバーの操作を用いる構成や（例えば、特許文献１参照）、永久磁石を用いる構成（例えば、特許文献２参照）などが提案されている。
【先行技術文献】
【特許文献】
【０００３】
【特許文献１】特開２００９−１７５３７３号公報
【特許文献２】特開２００７−１０８４１３号公報
【発明の概要】
【発明が解決しようとする課題】
【０００４】
しかしながら、上述した従来のレンズ駆動装置において、手動式レバーを用いる構成には、手動式レバーの稼働部に過剰な力が加わった場合に、稼働部が破損するという問題があった。また、永久磁石を用いる構成には、永久磁石に加え環状コイルが２つ必要となるため部品点数が増大するという問題があった。
【０００５】
本発明は、かかる点に鑑みてなされたものであり、２焦点を自動切替でき、部品点数を抑えて軽量化かつ低コストを実現可能なレンズ駆動装置及びその駆動方法を提供することを目的とする。
【課題を解決するための手段】
【０００６】
本発明のレンズ駆動装置は、レンズ体を保持し得るレンズホルダと、前記レンズホルダを光軸方向に沿って第１の位置及び第２の位置に移動させる移動機構と、を具備するレンズ駆動装置であって、前記レンズホルダは、磁場により磁化する吸着部を有し、前記移動機構は、弾性部材により前記第１の位置に保持された前記レンズホルダを、電磁石と前記吸着部との間に引力を働かせることによって前記第２の位置に移動させることを特徴とする。
【０００７】
上記レンズ駆動装置によれば、電磁石の磁力によってレンズホルダを移動させることにより２焦点を切り替えることができるため、手動式レバーや永久磁石を設ける必要がない。そのため、稼働部が破損するという不具合が生じることなく、部品点数を抑えて軽量化かつ低コストを実現したレンズ駆動装置を提供することが可能となる。
【０００８】
また、上記レンズ駆動装置において、前記電磁石は、ヨーク及びコイルで構成され、前記ヨークは、内側ヨーク、外側ヨーク並びに前記内側ヨーク及び前記外側ヨークを連結する連結ヨークで構成され、前記コイルは、前記内側ヨーク、前記外側ヨーク及び前記連結ヨークで囲まれた空間に収容され、前記ヨークの内壁に沿って巻回されていることが好ましい。この場合には、コイルがヨークによって囲まれているため、高い吸着力を得ることが可能となる。
【０００９】
さらに、上記レンズ駆動装置において、前記レンズホルダは、前記内側ヨークで囲まれた内部に挿通されることが好ましい。この場合には、内側ヨークで囲まれた内部空間を有効に活用し、レンズ駆動装置における光軸方向と直交する方向の面積を小さくすることができるので、レンズ駆動装置を小型化することが可能となる。
【００１０】
さらに、上記レンズ駆動装置において、前記第２の位置において、前記吸着部は前記内側ヨークの下端部と当接し、前記外側ヨークは前記吸着部よりも下方側に延在していることが好ましい。この場合には、外側ヨークをレンズ駆動装置の側面ケースとしても利用できるため、部品点数を抑えることが可能となる。
【００１１】
さらに、上記レンズ駆動装置において、前記吸着部は前記レンズホルダに設けた鍔状部からなることが好ましい。この場合には、吸着部の面積を広く取ることができるため、電磁石の磁力によってレンズホルダを確実に引き寄せることが可能となる。
【００１２】
さらに、上記レンズ駆動装置において、前記弾性部材は、前記レンズホルダを光軸方向の上下両端において支持する上側板ばね及び下側板ばねで構成されることが好ましい。この場合には、レンズホルダは上下２枚の板ばねにより保持されるため、光軸に対する２焦点位置での軸ずれを最小限に抑えることが可能となる。
【００１３】
本発明のレンズ駆動装置の駆動方法は、レンズ体を保持し得るレンズホルダと、前記レンズホルダを光軸方向に沿って第１の位置及び第２の位置に移動させる移動機構と、を具備するレンズ駆動装置の駆動方法であって、前記レンズホルダは、磁場により磁化する吸着部を有し、弾性部材により前記第１の位置に保持された前記レンズホルダを、前記移動機構における電磁石と前記吸着部との間に引力を働かせることによって前記第２の位置に移動させることを特徴とする。
【００１４】
上記レンズ駆動装置の駆動方法によれば、電磁石の磁力によってレンズホルダを移動させることにより２焦点を切り替えることができる。そのため、手動式レバーや永久磁石を設ける必要がなく、稼働部が破損するという不具合が生じることもない。
【００１５】
上記レンズ駆動装置の駆動方法において、前記移動機構は、前記レンズホルダを前記第１の位置から前記第２の位置に移動させる場合に前記電磁石に通電する電流量よりも小さな電流量を前記電磁石に通電した状態で、前記レンズホルダを前記第２の位置に保持し続けることが好ましい。この場合には、電磁石の引力によりレンズ位置を第２の位置とした後は、レンズホルダを第２の位置に保持し続けることができる吸着力が得られる程度まで電流量を低減することができるため、レンズ駆動装置の省電力化が実現できる。
【発明の効果】
【００１６】
本発明によれば、電磁石の磁力によってレンズホルダを移動して２焦点切替することから、２焦点の自動切替が可能であり、また、部品点数を抑えて軽量化かつ低コストのレンズ駆動装置を実現できる。
【図面の簡単な説明】
【００１７】
【図１】本発明の一実施の形態に係るレンズ駆動装置の分解斜視図である。
【図２】上記実施の形態に係るレンズ駆動装置の分解斜視図である。
【図３】上記実施の形態に係るレンズ駆動装置を組み立てた状態の斜視図である。
【図４】図３に示すレンズ駆動装置からカバー部材を取り除いた場合の斜視図である。
【図５】レンズ駆動装置にカバー部材を取り付けた場合における、図３のＡ−Ａ線矢視断面図である。
【図６】レンズホルダに下側板ばねを取り付けた状態を説明するための図である。
【発明を実施するための形態】
【００１８】
以下、本発明の実施の形態について添付図面を参照して詳細に説明する。図１及び図２は、本発明の一実施の形態に係るレンズ駆動装置１の分解斜視図である。図１においては、本実施の形態に係るレンズ駆動装置１を上方側から示し、図２においては、本実施の形態に係るレンズ駆動装置１を下方側から示している。
【００１９】
図１及び図２に示すように、このレンズ駆動装置１は、装置の底面部を構成するベース部材２と、図示しないレンズ体を保持するレンズ保持手段としてのレンズホルダ３と、このレンズホルダ３を光軸方向に移動させる移動機構を構成する可動ヨーク４、コイル５及びヨーク６と、レンズホルダ３をベース部材２に弾性的に固定する一対の板ばね（下側板ばね７及び上側板ばね８）と、上側板ばね８をヨーク６に固定するカバー部材９と、を含んで構成される。
【００２０】
ベース部材２は、例えば、絶縁性の樹脂材料を成形して構成され、概して矩形状に設けられている。ベース部材２の中央近傍には、図示しないイメージセンサに対応する位置に矩形状の開口部２１が設けられている。ベース部材２における対向する２辺に沿って、上方側に突出した壁状部２２が設けられている。また、ベース部材２において壁状部２２が設けられていない辺の一方には、その中央部に延出部２３が設けられている。延出部２３は、辺の中央部から側方側に延出し、さらにその先端部から上方側に向けて略直角に突出した形状を有している。壁状部２２及び延出部２３は、ヨーク６をベース部材２上に取り付ける際の位置決め部として機能する。壁状部２２は、ベース部材２の辺に沿った中央部分に切れ目を有しており、その切れ目部分には貫通孔２４が形成されている。また、貫通孔２４を挟んだ両側には、ベース部材２表面から僅かに盛り上がった、平坦状の一対のストッパ部２５がそれぞれ設けられている。ベース部材２における壁状部２２が設けられた辺の外周面には、略中央部に、ベース部材２表面から下方側に窪んだ凹部２６が設けられている。
【００２１】
また、ベース部材２の四隅部には、上方側に突出する複数（本実施の形態において４つ）のボス２７が設けられている。これらのボス２７は、下側板ばね７をベース部材２に取り付けるために利用されるものであり、後述する下側板ばね７の貫通孔７１ａに挿通された状態で熱かしめ等により変形されることで下側板ばね７を固定する。なお、図１において、これらのボス２７が変形された状態について示している。
【００２２】
ベース部材２には、ヨーク６の固定に利用される金属板材１０が、その一部を露出した状態でインサート成形されている。金属板材１０は、例えば、洋白、リン青銅などの金属材料で構成されている。この金属板材１０は、延出部２３が配置された辺側に開口した略Ｕ字形状に構成され、ベース部材２の対向する２辺の側面部及び上面部において露出する複数（本実施の形態において４つ）の固定片１０１を有している。これらの固定片１０１に対して、後述するヨーク６の固定片６３をレーザ溶接等によって固着することにより、ベース部材２にヨーク６が固定される。
【００２３】
ベース部材２には、下側板ばね７の導通接続に利用される一対の金属板材１１が、その一部を露出した状態でインサート成形されている。これらの金属板材１１は、延出部２３が配置された辺の内部に配置され、それぞれベース部材２の上面に露出する接続部１１１ａと、ベース部材の下面側から突出する接続片１１１ｂと、を有している。ベース部材２に固定された下側板ばね７の一部が接続部１１１ａと接続されることによって、下側板ばね７が導電接続され、下側板ばね７を介してコイル５への通電がなされる。
【００２４】
レンズホルダ３は、例えば、絶縁性の樹脂材料を成形して構成され、概して円筒形状に設けられている。レンズホルダ３の内周面には、図示しないレンズ体をねじ込み可能なねじ溝が設けられている。レンズホルダ３の外周面における上端部には、レンズホルダ３の径方向外側に突出する複数（本実施の形態において２つ）の保持片３１が設けられている。レンズホルダ３の上端円周上には、上方側に突出する複数（本実施の形態において４つ）の突出片３２が等間隔に設けられている。なお、突出片３２のうち２つは、保持片３１上に設けられている。
【００２５】
また、レンズホルダ３の下端部には、外周面よりも径方向外側に延出するように鍔状部３３が設けられている。鍔状部３３は、レンズホルダ３に対してフランジ状に設けられ、保持片３１や突出片３２とは、光軸方向に一定距離離間して設けられている。鍔状部３３は、突出片３２に対応する位置にそれぞれ切れ目３３ａ，３３ｂを有する。切れ目３３ａは、保持片３１上に形成された突出片３２に対応する位置に設けられた切れ目である。切れ目３３ｂは、保持片３１上に形成されない突出片３２に対応する位置に設けられた切れ目である。切れ目３３ｂには、レンズホルダ３の外周面よりも径方向外側に延出する、上面視にて概して長方形状の延出部３４がそれぞれ設けられている。
【００２６】
鍔状部３３は、その上面が光軸方向に直交する平面を構成する一方、その下面には、複数のボス３５，３６が設けられている。ボス３５は、切れ目３３ｂを挟んだ両側に、それぞれ一対に設けられている。また、ボス３６は、切れ目３３ｂ及び一対のボス３５を挟んだ両側に、それぞれ一対に設けられている。ボス３５は、レンズホルダ３を下側板ばね７に取り付けるために利用されるものであり、後述する下側板ばね７の貫通孔７２ａに挿通された状態で熱かしめ等により変形されることで下側板ばね７を固定する。ボス３６は、ベース部材２のストッパ部２５と当接し、レンズホルダ３の位置決めに利用される。したがって、ボス３６は、それぞれベース部材２のストッパ部２５に対応した位置に設けられている。
【００２７】
可動ヨーク４は、例えば、金属磁性体材料を機械加工して構成され、円環形状に設けられている。可動ヨーク４の内周径は、レンズホルダ３の外周径と略同径に構成されている。可動ヨーク４は、レンズホルダ３の鍔状部３３上面に接着固定されている。
【００２８】
コイル５は、円環形状に束ねられ、後述するヨーク６の外壁部に接着固定された状態で、ヨーク６の外壁部と垂下壁面６６との間に収容される。また、コイル５の内周径は、レンズホルダ３の外周径よりも大径に構成されている。
【００２９】
ヨーク６は、例えば、金属磁性材料を機械加工して構成され、図１に示す下方側に開口した箱状に設けられている。また、ヨーク６は概して矩形状に設けられ、その中央に円形状の開口部６１が設けられている。開口部６１の内周径は、レンズホルダ３の外周径よりも大径に構成されており、レンズ駆動装置１を組み立てた際に、開口部６１の内側にレンズホルダ３が配置される。この構成により、レンズ駆動装置１を小型化することが可能となる。開口部６１の周縁部には、上面視にて略長方形状に切り欠かれた切り欠き部６１ａが設けられている。切り欠き部６１ａは、レンズ駆動装置１を組み立てた際に、レンズホルダ３における保持片３１に対応した位置に設けられている。また、ヨーク６の上面における四隅部分の近傍には、複数（本実施の形態において４つ）の貫通孔６２が設けられている。これらの貫通孔６２には、後述するカバー部材９の固定ピン９２が挿入される。
【００３０】
ヨーク６の対向する２辺の外周下端部には、側方側に突出する複数（本実施の形態において４つ）の固定片６３が設けられている。固定片６３は、レンズ駆動装置１を組み立てた際に、ベース部材２から露出する固定片１０１と重なる位置に設けられている。ヨーク６の固定片６３が設けられた辺における、固定片６３に挟まれた位置には、ヨーク６の外周壁部が下方側に延出した延出部６４が設けられている。延出部６４は、レンズ駆動装置１を組み立てた際に、ベース部材２における凹部２６に挿入される。ヨーク６において固定片６３及び延出部６４が設けられていない辺の一方には、下方側に開口した矩形状の溝部６５が設けられている。溝部６５は、レンズ駆動装置１を組み立てた際に、ベース部材２における延出部２３が挿入される。
【００３１】
ヨーク６における開口部６１の周縁部のうち、切り欠き部６１ａが形成されていない部分からは、曲面を有する垂下壁面６６が垂下して設けられている。すなわち、ヨーク６は、垂下壁面６６からなる内側ヨーク、ヨーク６の外壁部からなる外側ヨーク、ヨーク６の上面からなる内側ヨーク及び外側ヨークを連結する連結ヨークで構成される。コイル５は、ヨーク６の外壁部に接着固定されており、外壁部と上面部と垂下壁面６６とで囲まれた空間に収容されている。
【００３２】
このようなヨーク６及びコイル５によって、電磁石が構成される。コイル５は、内側ヨーク、外側ヨーク及び連結ヨークによって囲まれているため、コイル５に通電した場合に、Ｎ極から出た磁力線はまわりを囲むヨーク６に集まり、ヨーク６を介してＳ極に戻る構成となる。したがって、電磁石として、高い吸引力を得ることができる。また、ヨーク６の外壁部は、外側ヨークとして機能するだけでなく、レンズ駆動装置１の外側ケースとしても利用できる。これにより、レンズ駆動装置１における部品点数を抑え、レンズ駆動装置１を小型化することが可能となる。
【００３３】
下側板ばね７は、弾性部材を構成するものであり、例えば、リン青銅などの導電性材料を成形して構成される。下側板ばね７は、一対の板ばねから構成され、それぞれベース部材２に固定される外側固定部７１と、レンズホルダ３の下面に固定される内側固定部７２と、外側固定部７１と内側固定部７２とを連結する腕部７３と、を有している。外側固定部７１の所定位置には、複数（本実施の形態において４つ）の貫通孔７１ａが設けられている。これらの貫通孔７１ａに、ベース部材２のボス２７を挿通してかしめることにより、下側板ばね７はベース部材２に固定される。内側固定部７２の所定位置には、複数（本実施の形態において４つ）の貫通孔７２ａが設けられている。これらの貫通孔７２ａに、レンズホルダ３のボス３５を挿通してかしめることにより、下側板ばね７はレンズホルダ３に固定される。腕部７３は、ベース部材２の四隅部分に対応する外側固定部７１の位置から複数回折り返して、外側固定部７１と内側固定部７２とを連結する。
【００３４】
上側板ばね８は、下側板ばね７と同様に、例えば、リン青銅などの導電性材料を成形して形成され、ヨーク６の上面の形状と略同一の形状を有している。上側板ばね８は、ヨーク６の上面に固定される外側固定部８１と、レンズホルダ３の上面に固定される内側固定部８２と、外側固定部８１と内側固定部８２とを連結する腕部８３と、を有している。外側固定部８１の所定位置には、複数（本実施の形態において４つ）の貫通孔８１ａが設けられている。これらの貫通孔８１ａに、後述するカバー部材９の固定ピン９２が挿通され熱かしめにより、上側板ばね８はヨーク６に固定される。内側固定部８２の所定位置には、一対の凸部８２ａが設けられている。この一対の凸部８２ａが、レンズホルダ３の保持片３１上に載り、一対の凸部８２ａによって保持片３１上の突出片３２を挟んだ状態で、上側板ばね８はレンズホルダ３に接着固定される。腕部８３は、ヨーク６の四隅部分に対応する外側固定部８１の位置から複数回折り返して、外側固定部８１と内側固定部８２とを連結する。
【００３５】
カバー部材９は、例えば、絶縁性の樹脂材料を成型加工して構成され、概して矩形状に設けられている。カバー部材９の中央部には、概して円形状の開口部９１が設けられている。カバー部材９は、ヨーク６の上面の形状と略同一の形状を有しており、開口部９１がヨーク６の開口部６１に対応するように構成されている。また、カバー部材９の下面であって開口部６１の周縁部には、上側板ばね８をヨーク６の上面に固定するための複数の固定ピン９２が設けられている。固定ピン９２は、カバー部材９の四隅部分に対応する位置に設けられており、上側板ばね８の貫通孔８１ａ及びヨーク６の貫通孔６２に挿通固定される。
【００３６】
続いて、本実施の形態に係るレンズ駆動装置１を組み立てた状態について説明する。図３は、レンズ駆動装置１を組み立てた状態の斜視図である。図４は、図３に示すレンズ駆動装置１からカバー部材９を取り除いた場合の斜視図である。図５は、レンズ駆動装置１にカバー部材９を取り付けた場合における、図３のＡ−Ａ線矢視断面図である。
【００３７】
図３に示すように、このような構成を有するレンズ駆動装置１を組み立てると、ベース部材２の凹部２６にヨーク６の延出部６４が挿入され、ヨーク６の溝部６５にベース部材２の延出部２３が挿入された状態で、ベース部材２とヨーク６とが配置される。このとき、ヨーク６の固定片６３は、ベース部材２から露出する固定片１０１上に重ねられた状態となる。そして、これら固定片６３と固定片１０１とをレーザ溶接等により接合させることによって、ベース部材２にヨーク６が固定される。なお、固定片６３は、固定片１０１に対して接合しやすいようにその中央が窪んだ形状に構成されている。カバー部材９は、ヨーク６上面に固定されている。このようにベース部材２、ヨーク６及びカバー部材９で囲まれた空間に、各構成部品が収容されている。
【００３８】
図３に示すように、レンズ駆動装置１が組み立てられた状態において、カバー部材９の開口部９１の内部にレンズホルダ３が配置されている。図示しないレンズ体は、このレンズホルダ３に、図３に示す上方側からねじ込むことで組みつけられ、このレンズホルダ３と一体的に移動可能に構成される。
【００３９】
図４に示すように、カバー部材９の内部においては、ヨーク６及びレンズホルダ３上に、上側板ばね８が配置されている。上側板ばね８の外側固定部８１における貫通孔８１ａは、ヨーク６の貫通孔６２と重なるように配置されている。レンズホルダ３の保持片３１は、ヨーク６の切り欠き部６１ａ内に配置されている。上側板ばね８の内側固定部８２は、一対の凸部８２ａがレンズホルダ３の突出片３２を挟んだ状態で、レンズホルダ３の保持片３１上に配置されている。
【００４０】
図５に示すように、レンズホルダ３の上端部は、ヨーク６の上面より、上方側に突出している。そのため、カバー部材９を取り付けると、レンズホルダ３の上端部に設けられた保持片３１上に配置された上側板ばね８の内側固定部８２は、カバー部材９によって下方側に押し付けられた状態となる。これにより、上側板ばね８には、レンズホルダ３を下方側に付勢する力が働く。
【００４１】
ヨーク６の外壁部と上面部と垂下壁面６６とで囲まれた空間には、外壁部に固定されたコイル５が収容されている。ヨーク６の開口部６１内には、レンズホルダ３が配置されている。このように、レンズホルダ３は、垂下壁面６６からなる内側ヨークで囲まれた内部に挿通されるため、内側ヨークで囲まれた内部空間を有効に活用し、レンズ駆動装置１における光軸方向と直交する方向の面積を小さくすることができる。
【００４２】
レンズホルダ３の鍔状部３３上面には、可動ヨーク４が固定されている。また、レンズホルダ３の鍔状部３３の底面には、下側板ばね７が取り付けられている。
【００４３】
図６は、レンズホルダ３に下側板ばね７を取り付けた状態を説明するための図である。図６Ａにおいては、レンズホルダ３に下側板ばね７を取り付けた状態の斜視図を示している。図６Ｂにおいては、レンズホルダ３に下側板ばね７を取り付けた状態の側面図を示している。なお、図６においては、レンズホルダ３を下方側から示し、説明の便宜上、その上下方向を逆転して示している。
【００４４】
下側板ばね７は、図６Ａに示すように、鍔状部３３に設けられたボス３５が、下側板ばね７の内側固定部７２における貫通孔７２ａを挿通するようにレンズホルダ３に取り付けられる。そして、貫通孔７２ａを挿通したボス３５に熱を加えて変形させることで（熱かしめ）、鍔状部３３の底面に下側板ばね７が固定される。また、鍔状部３３に設けられたボス３６及び延出部３４は、下側板ばね７の外側固定部７１と内側固定部７２との間から下方側（図６Ａに示す上方側）に突出した状態となっている。
【００４５】
このように、下側板ばね７をレンズホルダ３に固定した後、レンズホルダ３をベース部材２に固定する。このとき、下側板ばね７は、ベース部材２に設けられたボス２７が、下側板ばね７の外側固定部７１における貫通孔７１ａを挿通するようにベース部材２に取り付けられる。そして、貫通孔７１ａを挿通したボス２７に熱を加えて変形させることで（熱かしめ）、ベース部材２に下側板ばね７が固定される。これにより、下側板ばね７を介してレンズホルダ３がベース部材２に固定される。なお、下側板ばね７の一部は、ベース部材２の上面から露出する接続部１１１ａ上に配置され、半田付け等により接続されている。
【００４６】
ここで、図６Ｂに示すように、ボス３５とボス３６とでは、ボス３６の方がより下方側（図６Ｂに示す上方側）に突出して設けられている。すなわち、レンズ駆動装置１を組み立てた際に、ボス３６はベース部材２のストッパ部２５に当接した状態となるが、ボス３５はベース部材２と接触しない構成となる。下側板ばね７において、外側固定部７１はベース部材２に固定され、内側固定部７２はボス３５によってレンズホルダ３に固定されているため、外側固定部７１と内側固定部７２との間には段差が生じた状態となる（図６Ｂ参照）。なお、図６においては、外側固定部７１がベース部材２に固定された状態について示している。先述のとおり、レンズホルダ３は上側板ばね８によって下方側に付勢されているため、ベース部材２のストッパ部２５に当接される。
【００４７】
このように、レンズホルダ３は、下側板ばね７によりベース部材２に固定される一方、上側板ばね８によりヨーク６に固定され、これらの上側板ばね８及び下側板ばね７の付勢力によって初期位置に保持された状態となる。このレンズホルダ３を上下２枚の板ばねによって保持する構成により、光軸に対し２焦点位置での軸ずれを最小限に抑えることが可能となる。
【００４８】
次に、本実施の形態に係るレンズ駆動装置１の動作について説明する。レンズ駆動装置１は、コイル５に通電していない初期状態において、レンズ位置が通常位置（∞）であり、コイル５に通電した駆動状態において、レンズ位置がマクロ位置である。
【００４９】
初期状態において、レンズホルダ３は上側板ばね８及び下側板ばね７の付勢力によって通常位置に保持された状態となっている（図５参照）。このとき、ヨーク６の垂下壁面６６の下端部と、レンズホルダ３に固定された可動ヨーク４上面との間には、ギャップａが存在している。なお、初期状態におけるギャップａの値は、例えば、０．２ｍｍに設定される。
【００５０】
駆動状態において、コイル５に通電することによって、磁力が発生し、コイル５及びヨーク６は電磁石として機能する。電磁石は、電磁石とレンズホルダ３に固定された可動ヨーク４との間に引力を働かせる。すなわち、レンズホルダ３の鍔状部３３及びこれに固定された可動ヨーク４は、磁場により磁化する吸着部として機能する。これにより、レンズホルダ３は上側板ばね８及び下側板ばね７の付勢力に抗して上方向に移動する。このとき、電磁石の引力は可動ヨーク４に対して働くため、引力が働く面積を広く取ることができる。これにより、電磁石の磁力によってレンズホルダ３を確実に引き寄せることが可能となる。レンズホルダ３が、最上位置まで光軸方向に移動したときのレンズ位置が、マクロ位置となる。なお、このとき、ヨーク６の垂下壁面６６の下端部とレンズホルダ３に固定された可動ヨーク４の上面とは当接しているため、ギャップａの値は０となる。
【００５１】
電磁石の引力によりレンズ位置をマクロ位置とした後は、レンズホルダ３を最上位置に保持し続けることができる吸着力が得られる程度まで電流量を低減することができる。例えば、レンズ位置を通常位置からマクロ位置に移動させる場合の電流を８０ｍＡとし、レンズ位置をマクロ位置に保持し続ける場合の電流を２０ｍＡとすることができる。これにより、レンズ駆動装置１の省電力化が実現できる。
【００５２】
本実施の形態に係るレンズ駆動装置１においては、例えば、装置本体を搭載するデジタルカメラや携帯電話の制御部からの駆動指示に応じて、コイル５に通電する電流量を制御することによって、可動ヨーク４が固定されたレンズホルダ３を上下移動させ、その位置決めを行う。これにより、レンズホルダ３に組みつけられたレンズ体の位置決めを行うことが可能となる。なお、コイル５への通電を停止すると、レンズホルダ３は、上側板ばね８及び下側板ばね７の付勢力に応じて通常位置（∞）に復帰する。すなわち、レンズ駆動装置１の電源をオフとすると、レンズ位置は通常位置（∞）に設定される。
【００５３】
これに対して、例えば、レンズ位置を手動で切り替える構成の場合には、前にカメラを使ったときに設定したレンズ位置（通常位置又はマクロ位置）がそのまま維持され続け、再度カメラを使う際にレンズが意図しないレンズ位置にあることにより、撮影を失敗してしまうことがある。本実施の形態に係るレンズ駆動装置１によれば、再度電源をオンとしたときに、レンズ位置は必ず通常位置（∞）に設定されているため、マクロで撮影したい場合のみマクロ位置に設定することとなり、撮影の失敗を防ぐことができる。
【００５４】
このように、本実施の形態に係るレンズ駆動装置１においては、コイル５及びヨーク６から構成される電磁石の磁力によってレンズホルダ３を移動させることにより２焦点を切り替えることができるため、手動式レバーや永久磁石を設ける必要がない。そのため、稼働部が破損するという不具合が生じることなく、部品点数を抑えて軽量化かつ低コストを実現したレンズ駆動装置１を提供することが可能となる。
【００５５】
なお、本発明は上記実施の形態に限定されず、さまざまに変更して実施可能である。上記実施の形態において、添付図面に図示されている大きさや形状などについては、これに限定されず、本発明の効果を発揮する範囲内で適宜変更が可能である。その他、本発明の目的の範囲を逸脱しない限りにおいて適宜変更して実施可能である。
【００５６】
上記実施の形態においては、可動ヨーク４を、レンズホルダ３の鍔状部３３上面に接着固定する場合について説明しているが、可動ヨーク４をレンズホルダ３に固定する構成についてはこれに限定されるものではなく適宜変更が可能である。例えば、可動ヨーク４は、レンズホルダ３にインサート成形される構成であってもよい。
【符号の説明】
【００５７】
１  レンズ駆動装置
２  ベース部材
２１  開口部
２２  壁状部
２３  延出部
２４  貫通孔
２５  ストッパ部
２６  凹部
２７  ボス
３  レンズホルダ
３１  保持片
３２  突出片
３３  鍔状部
３３ａ，３３ｂ  切れ目
３４  延出部
３５，３６  ボス
４  可動ヨーク
５  コイル
６  ヨーク
６１  開口部
６１ａ  切り欠き部
６２  貫通孔
６３  固定片
６４  延出部
６５  溝部
６６  垂下壁面
７  下側板ばね
７１  外側固定部
７１ａ  貫通孔
７２  内側固定部
７２ａ  貫通孔
７３  腕部
８  上側板ばね
８１  外側固定部
８１ａ  貫通孔
８２  内側固定部
８２ａ  凸部
８３  腕部
９  カバー部材
９１  開口部
９２  固定ピン
１０  金属板材
１０１  固定片
１１  金属板材
１１１ａ  接続部
１１１ｂ  接続片
【図１】
2013190556.tif 000003
【図２】
2013190556.tif 000004
【図３】
2013190556.tif 000005
【図４】
2013190556.tif 000006
【図５】
2013190556.tif 000007
【図６】
2013190556.tif 000008